(57)【特許請求の範囲】
【請求項１】
数行程度の入力文字列を印刷媒体に印刷して小印刷物を作成する小印刷物作成装置において、
１又は複数の項目について、１又は複数の項目構成登録情報を格納する項目構成登録情報格納手段と、
予め設定された、上記小印刷物を貼り付ける複数種類の貼付対象物毎に、予め設定された上記印刷媒体に印刷する印刷項目及び印刷書式情報を格納する印刷書式情報格納手段と、
ユーザーにより選択された１又は複数の上記貼付対象物と上記項目構成登録情報とに基づき、上記印刷書式格納手段を参照し、上記選択された貼付対象物毎に設定されている印刷項目に対応する上記選択された項目構成登録情報の各構成要素を、上記項目構成登録情報格納手段から読み出す項目構成登録情報読み出し手段と、
上記項目構成登録情報読み出し手段が読み出した項目構成登録情報の各構成要素と、上記印刷書式情報格納手段に格納されている上記選択された貼付対象物毎の印刷書式情報とに基づいて、上記選択された貼付対象物毎に印刷情報を作成する印刷情報作成手段と、
上記印刷情報作成手段により作成された貼付対象物毎の印刷情報に基づいて、各貼付対象物の種類毎に、ユーザーにより指示された印刷枚数分の小印刷物を、上記選択された全種類の貼付対象物について連続的に作成する印刷手段と
を備えることを特徴とする小印刷物作成装置。
【請求項２】
ユーザーによる、上記貼付対象物の複数種類の選択指示と各貼付対象物毎の印刷枚数指示とを一括的に取り込む一括指定手段を更に備えることを特徴とする請求項１に記載の小印刷物作成装置。
【請求項３】
上記印刷手段は、上記選択された貼付対象物の種類及び印刷枚数に関する情報も併せてそれぞれの小印刷物を作成することを特徴とする請求項１又は２に記載の小印刷物作成装置。
【請求項４】
上記印刷媒体の種類に関する情報を検出する検出手段を更に備え、
上記印刷形式情報格納手段には、上記印刷媒体の種類に応じた所定の印刷制限情報が上記貼付対象物毎に格納されており、
上記印刷手段は、上記検出手段による上記印刷媒体の種類に関する情報と上記印刷媒体の種類に応じた所定の印刷制限情報に基づいて、所定の印刷制限を行なうことを特徴とする請求項１又は２に記載の小印刷物作成装置。
【請求項５】
上記印刷手段は、ユーザーにより選択された貼付対象物毎に１枚ずつの小印刷物を連続的に作成する試し印刷を行うことを特徴とする請求項１〜４のいずれかに記載の小印刷物作成装置。
【請求項６】
上記項目構成登録情報が、１又は複数の個人情報であることを特徴とする請求項１〜５のいずれかに記載の小印刷物作成装置。
【請求項７】
数行程度の入力文字列を印刷媒体に印刷して小印刷物を作成する小印刷物作成方法において、
１又は複数の項目について、１又は複数の項目構成登録情報を格納する項目構成登録情報格納手段と、
予め設定された、上記小印刷物を貼り付ける複数種類の貼付対象物毎に、予め設定された上記印刷媒体に印刷する印刷項目及び印刷書式情報を格納する印刷書式情報格納手段と
を有し、
項目構成登録情報読み出し手段が、ユーザーにより選択された１又は複数の上記貼付対象物と上記項目構成登録情報とに基づき、上記印刷書式情報格納手段を参照し、上記選択された貼付対象物毎に設定されている印刷項目に対応する上記選択された項目構成登録情報の各構成要素を、上記項目構成登録情報格納手段から読み出す項目構成登録情報読み出し工程と、
印刷情報作成手段が、上記項目構成登録情報読み出し手段が読み出した項目構成登録情報の各構成要素と、上記印刷書式情報格納手段に格納されている上記選択された貼付対象物毎の印刷書式情報とに基づいて、上記選択された貼付対象物毎に印刷情報を作成する印刷情報作成工程と、
印刷手段が、上記印刷情報作成手段により作成された貼付対象物毎の印刷情報に基づいて、各貼付対象物の種類毎に、ユーザーにより指示された印刷枚数分の小印刷物を、上記選択された全種類の貼付対象物について連続的に作成する印刷工程と
を備えることを特徴とする小印刷物作成方法。
【請求項８】
コンピュータに読み込まれて実行されることで、数行程度の入力文字列を印刷媒体に印刷し小印刷物を作成することを実現させる小印刷物作成プログラムにおいて、
１又は複数の項目について、１又は複数の項目構成登録情報を格納する項目構成登録情報格納手段と、
予め設定された、上記小印刷物を貼り付ける複数種類の貼付対象物毎に、予め設定された上記印刷媒体に印刷する印刷項目及び印刷書式情報を格納する印刷書式情報格納手段と
を有し、
コンピュータを、
ユーザーにより選択された１又は複数の上記貼付対象物と上記項目構成登録情報とに基づき、上記印刷書式情報格納手段を参照し、上記選択された貼付対象物毎に設定されている印刷項目に対応する上記選択された項目構成登録情報の各構成要素を、上記項目構成登録情報格納手段から読み出す項目構成登録情報読み出し手段、
上記項目構成登録情報読み出し手段が読み出した項目構成登録情報の各構成要素と、上記印刷書式情報格納手段に格納されている上記選択された貼付対象物毎の印刷書式情報とに基づいて、上記選択された貼付対象物毎に印刷情報を作成する印刷情報作成手段、
上記印刷情報作成手段により作成された貼付対象物毎の印刷情報に基づいて、各貼付対象物の種類毎に、ユーザーにより指示された印刷枚数分の小印刷物を、上記選択された全種類の貼付対象物について連続的に作成する印刷手段
として機能させることを特徴とする小印刷物作成プログラム。
【発明の詳細な説明】
【技術分野】
【０００１】
本発明は、小印刷物作成装置、小印刷物作成方法及び小印刷物作成プログラムに関し、例えば、専用のテープ印刷装置や、パーソナルコンピュータとラベルプリンタとを結合されたテープ印刷システムや、専用のスタンプ（印章）作成装置や、パーソナルコンピュータとスタンプ作成用周辺装置とが結合されたスタンプ作成システム等に適用し得る。
【背景技術】
【０００２】
例えば、専用のテープ印刷装置は、入力された文字（記号、絵文字、外枠、地紋などを含む概念）の列を長尺状のテープに印刷すると共に、必要に応じて印刷されたテープを排出して切断するものである。このように文字列が印刷されたテープを切断したものをラベルと呼んでいる。
【０００３】
例えば、テープ印刷装置の利用形態には色々な利用形態があるが、その中で、ホームユースによる代表的な利用形態として、例えば、小学校などで用いる教材や持ち物等に貼り付けるため、学年組や名前などを印刷したラベル（以下、このようなラベルを特に「お名前ラベル」と呼ぶ）を作成することがなされている。また、ＳＯＨＯ（スモールオフィス  ホームオフィス）等の個人事業者などは、名刺や封筒の差出人情報等を印刷したラベルを作成することがなされている。
【０００４】
従来、テープ印刷装置を用いて、このようなラベルを作成しようとする場合、ユーザーは、貼り付け対象となる物の大きさや素材等に応じて、テープカセットを装着し、適切な印刷項目の文字データ（例えば、名前、学年組など）を入力し、文字サイズやレイアウト等を設定し、１枚１枚個別にお名前ラベルを作成する必要があった。
【０００５】
また、別のラベル作成方法としては、テープ印刷装置が搭載する記憶手段に、所定のレイアウト等で設定された文字データをファイル情報として登録し、そのファイル情報を用いることで再入力の手間を省いてお名前ラベルを作成する方法もある。
【０００６】
従来、上記のようなラベル印刷を作成するための技術としては、特許文献１や特許文献２に開示される技術がある。
【０００７】
特許文献１は、例えば、デパートやスーパーマーケット等で取り扱う種々の書式の宅配ラベルを作成する技術である。この技術は、宅配ラベルイメージを下絵として表示し、宅配ラベルに関する項目を示すグルーピング項目の一覧から宅配ラベルを作成するための項目を選択し、グルーピング項目管理手段が選択された項目に対応するデータをマスタ登録から読み出して宅配ラベルを作成するものである。
【０００８】
特許文献２は、複数の印刷項目からなる情報を印刷する複数の印刷パタンを設定しておき、指定された印刷パタンを構成する複数の印刷項目に対応する情報（例えば、住所、氏名、郵便番号等）を印刷する技術が記載されている。
【０００９】
【特許文献１】特開２０００−３４３７６６号公報
【特許文献２】特開平８−２２４５５号公報
【発明の開示】
【発明が解決しようとする課題】
【００１０】
ところで、例えば、小学校の新入学時では、多種類のアイテムについて名前書きが必要であり、１４０点あまりのアイテムについての名前書きを必要とするところもある。このような用途において、テープ印刷装置を用いてお名前ラベルを作成する場合、お名前ラベルを貼り付ける対象によって、例えば、「文字を縦書き／横書きに設定したり」、「文字サイズを大きく／小さく設定したり」、「レイアウトを細長く／スクエア（正方形）に近くなるように設定したり」、「表示内容を名前だけ／学年組や学校名なども含めるように設定したり」等、設定する項目が各々異なってくる。
【００１１】
例えば、「おはじき」と「ノート」と「カサ」用のお名前ラベルを作成する場合、その文字の大きさも表示内容も各々異なってくる。
【００１２】
従って、従来のテープ印刷装置をそのまま用いて全てのアイテムについてラベルを作成しようとすると、貼付け対象の種類に応じて１枚１枚のラベルを作成するため、情報の入力操作や設定操作等に時間を要してしまい、ユーザーの手間がかかってしまうという問題がある。
【００１３】
また、ファイル情報を利用してラベルを作成する場合には、ファイル情報には文字サイズやレイアウト等が固定的に登録されているので、貼り付け対象の違いに応じて柔軟な対応ができないという問題がある。
【００１４】
また、上述した特許文献１や特許文献２に記載の技術を適用しようとしても、あるアイテムに貼り付けるための特殊なラベル１種類を複数作成することはできるが、他のアイテムに貼り付けるためのラベルについては、先のアイテムに対して入力した項目に一部重複するものがあっても、その後に一部同じような入力・設定操作を再度繰り返して別のラベルを作成する必要がある。
【００１５】
そのため、多種類の対象物に貼り付けるために必要な情報を印刷媒体に印刷し、それぞれの対象物の種類毎に必要な枚数分の小印刷物を作成する際、簡単なユーザー処理で最適な設定を実現することができ、かつ、スピーディーに全小印刷物を作成することができる小印刷物作成装置、小印刷物作成方法及び小印刷物作成プログラムが求められている。
【課題を解決するための手段】
【００１６】
かかる課題を解決するため、第１の本発明の小印刷物作成装置は、数行程度の入力文字列を印刷媒体に印刷して小印刷物を作成する小印刷物作成装置において、（１）１又は複数の項目について、１又は複数の項目構成登録情報を格納する項目構成登録情報格納手段と、（２）予め設定された、小印刷物を貼り付ける複数種類の貼付対象物毎に、予め設定された印刷媒体に印刷する印刷項目及び印刷書式情報を格納する印刷書式情報格納手段と、（３）ユーザーにより選択された１又は複数の貼付対象物と項目構成登録情報とに基づき、印刷書式情報格納手段を参照し、選択された貼付対象物毎に設定されている印刷項目に対応する選択された項目構成登録情報の各構成要素を、項目構成登録情報格納手段から読み出す項目構成登録情報読み出し手段と、（４）項目構成登録情報読み出し手段が読み出した項目構成登録情報の各構成要素と、印刷書式情報格納手段に格納されている選択された貼付対象物毎の印刷書式情報とに基づいて、選択された貼付対象物毎に印刷情報を作成する印刷情報作成手段と、（５）印刷情報作成手段により作成された貼付対象物毎の印刷情報に基づいて、各貼付対象物の種類毎に、ユーザーにより指示された印刷枚数分の小印刷物を、選択された全種類の貼付対象物について連続的に作成する印刷手段とを備えることを特徴とする。
【００１７】
第２の本発明の小印刷物作成方法は、数行程度の入力文字列を印刷媒体に印刷して小印刷物を作成する小印刷物作成方法において、（１）１又は複数の項目について、１又は複数の項目構成登録情報を格納する項目構成登録情報格納手段と、（２）予め設定された、小印刷物を貼り付ける複数種類の貼付対象物毎に、予め設定された印刷媒体に印刷する印刷項目及び印刷書式情報を格納する印刷書式情報格納手段とを有し、（３）項目構成登録情報読み出し手段が、ユーザーにより選択された１又は複数の貼付対象物と項目構成登録情報とに基づき、印刷書式情報格納手段を参照し、選択された貼付対象物毎に設定されている印刷項目に対応する選択された項目構成登録情報の各構成要素を、項目構成登録情報格納手段から読み出す項目構成登録情報読み出し工程と、（４）印刷情報作成手段が、項目構成登録情報読み出し手段が読み出した項目構成登録情報の各構成要素と、印刷書式情報格納手段に格納されている選択された貼付対象物毎の印刷書式情報とに基づいて、選択された貼付対象物毎に印刷情報を作成する印刷情報作成工程と、（５）印刷手段が、印刷情報作成手段により作成された貼付対象物毎の印刷情報に基づいて、各貼付対象物の種類毎に、ユーザーにより指示された印刷枚数分の小印刷物を、選択された全種類の貼付対象物について連続的に作成する印刷工程とを備えることを特徴とする。
【００１８】
第３の本発明の小印刷作成プログラムは、コンピュータに読み込まれて実行されることで、数行程度の入力文字列を印刷媒体に印刷し小印刷物を作成することを実現させる小印刷物作成プログラムにおいて、（１）１又は複数の項目について、１又は複数の項目構成登録情報を格納する項目構成登録情報格納手段と、（２）予め設定された、小印刷物を貼り付ける複数種類の貼付対象物毎に、予め設定された印刷媒体に印刷する印刷項目及び印刷書式情報を格納する印刷書式情報格納手段とを有し、コンピュータを、（３）ユーザーにより選択指示された貼付対象物と項目構成登録情報とに基づき、印刷書式情報格納手段を参照し、選択された貼付対象物毎に設定されている印刷項目に対応する選択された項目構成登録情報の各構成要素を、項目構成登録情報格納手段から読み出す項目構成登録情報読み出し手段、（４）項目構成登録情報読み出し手段が読み出した項目構成登録情報の各構成要素と、印刷書式情報格納手段に格納されている選択された貼付対象物毎の印刷書式情報とに基づいて、選択された貼付対象物毎に印刷情報を作成する印刷情報作成手段、（５）印刷情報作成手段により作成された貼付対象物毎の印刷情報に基づいて、各貼付対象物の種類毎に、ユーザーにより指示された印刷枚数分の小印刷物を、選択された全種類の貼付対象物について連続的に作成する印刷手段として機能させることを特徴とする。
【００１９】
ここで、第１〜第３の本発明の小印刷物作成装置、小印刷物作成方法及び小印刷物作成プログラムにおいて、項目構成登録情報とは、１又は複数の項目に対して、一連の関連性を有する構成要素からなる情報である。
【発明の効果】
【００２０】
本発明によれば、多種類の対象物に貼り付けるために最適な情報を印刷媒体に印刷し、それぞれの対象物の種類毎に必要な枚数分の小印刷物を作成する際、簡単なユーザー処理で最適な設定で実現することができ、かつ、スピーディーに全小印刷物を作成することができる。
【発明を実施するための最良の形態】
【００２１】
（Ａ）第１の実施形態
以下、本発明による小印刷物作成装置、小印刷物作成方法及び小印刷物作成プログラムに適用した第１の実施形態を図面を参照しながら詳述する。
【００２２】
（Ａ−１）第１の実施形態の構成
図１は、第１の実施形態のテープ印刷システムの電気的な全体構成を示すブロック図であり、図２は、そのテープ印刷システムの外観イメージを示す概略斜視図である。なお、第１の実施形態のテープ印刷システム（テープ印刷装置）は、テープ印刷専用の独立した装置として構成されている。
【００２３】
図１において、第１の実施形態のテープ印刷システムは、大きくは、入力部１０、制御部２０及び出力部３０から構成されており、制御部２０が、入力部１０からの情報やその時点の処理段階等に応じた処理を実行し、その処理結果等を出力部３０によって表示出力又は印刷出力させるようになされている。
【００２４】
入力部１０は、キー入力部１１や、テープ種類検出センサ１２を有するものである。
【００２５】
入力部１１は、詳細な構成は省略するが、文字入力キー、テンキー、移行キー等の押下キーから構成されるものであり、ユーザー操作による入力を取り込み、制御部２０に与える文字コードや各種の制御データを発生するものである。また、入力部１１は、お名前ラベルモードを起動させる起動キー１１ａや、印刷処理を開始する印刷キー１１ｂや、個人情報を登録する個人情報登録キー１１ｃ等を有する。
【００２６】
テープ種類検出センサ１２は、テープ印刷装置に装填されているテープの種類を検出してテープ種類情報を制御部２０に与えるものである。ここでは、テープの幅やテープ種類（例えば、通常テープ、アイロンラベル用テープ等の種類）などで規定される。テープは、例えば、インクリボンと共にカセットに収容されており、カセットにはテープの種類を規定する物理的な識別要素が設けられており、テープ種類検出センサ１２は、その物理的な識別要素を読み取ることで、テープ種類を識別する。
【００２７】
ここで、図２における透明窓部を有する蓋体５０は、テープカセットＴＣを収容する装置筐体内部の空間の上部に設けられたものであり、この蓋体５０の下方にテープカセットＴＣが装填され、その装填状態のテープカセットＴＣの物理的な識別要素をテープ種類検出センサ１２が読み取る。
【００２８】
出力部３０は、印刷構成と表示構成からなり、ヘッド駆動回路３４、サーマルヘッド３２、走行駆動回路３３、テープ・リボン走行機構３１、ディスプレイ駆動回路３６、液晶ディスプレイ３５、カッタ駆動回路３８、カッタ３７（フルカッタ３７ａ及びハーフカッタ３７ｂ）を少なくとも有している。
【００２９】
ここで、印刷構成は、テープに対して通常の印刷を行なう構成であり、表示構成は、ラベルに印刷させる入力情報や、操作ガイダンスのメッセージなどを表示する構成である。本実施形態の表示構成は、ラベルを貼り付ける対象物の選択一覧やその対象物に合ったラベルの作成枚数の入力部分などを表示する。
【００３０】
例えば、ステッピングモータや直流モータ等を中心として構成されているテープ・リボン走行機構３１は、装填されている図示しないテープやインクリボンを所定の印刷位置や装置外部まで送り出すものであり、印刷ヘッド（ここではサーマルヘッドとする）３２は例えば固定されていて、走行するテープに対して熱転写によって印刷を行なうものである。これらテープ・リボン走行機構３１及びサーマルヘッド３２はそれぞれ、制御部２０の制御下で、走行駆動回路３３やヘッド駆動回路３４によって駆動される。印刷されたテープの切断は、例えば、ユーザーからの外力又はモータによって駆動されるフルカッタ３７ａによって行なわれる。なお、図２の排出口５２が印刷されたテープを排出するものであり、排出口５２の近傍に切断用のフルカッタ３７ａが設けられている。
【００３１】
このテープ印刷システムの表示部として、例えば所定サイズの文字を数行（例えば４行）に亘って数文字（例えば１２文字）程度表示できる程度の液晶ディスプレイ３５が設けられており、この液晶ディスプレイ３５は、制御部２０の制御下でディスプレイ駆動回路３６によって駆動される。なお、この実施形態の場合、液晶ディスプレイ３５は、蓋体５０（図２参照）上に設けられている。
【００３２】
液晶ディスプレイ３５の表示面は、入力された文字列などを表示する文字表示領域と、入力文字列に係る各種の属性等を表す属性インジケータとを有する。各属性インジケータは、そのオン表示が、その属性インジケータに対応した表示面の周囲に記載されている文字が表す属性が採用されていることを表すものである。各属性インジケータが指示する属性としては、文字サイズについてのものや、かな入力やローマ字入力等の入力方式についてのものや、たて書や中揃え等の文字列のある程度のかたまりを単位としたものや、装飾文字や英書体等の文字単位のものや、基本的な書式の選択有無を表すものなどがある。
【００３３】
印刷されたテープの切断は、制御部２０の制御下で、カッタ駆動回路（モータ等を含む）３８によって駆動されたカッタ３７によって行なわれる。なお、図２の排出口５２が印刷されたテープを排出するものであり、排出口５２の近傍に切断用のカッタ３７が設けられている。
【００３４】
この切断用のカッタ３７は、制御部２０により切断モードが制御され、裏紙（剥離紙）と粘着層を有する表紙とからなるテープを共に切断するフルカッタ３７ａと、裏紙を切断することなく表紙だけを切断するハーフカッタ３７ｂとから構成される。
【００３５】
制御部２０は、例えばマイクロコンピュータによって構成されており、ＣＰＵ２１、ＲＯＭ２２、ＲＡＭ２３、入力インタフェース２５及び出力インタフェース２６がシステムバス２７を介して接続されて構成されている。
【００３６】
ＲＯＭ２２は、１又は複数個のＲＯＭチップでなり、各種の処理プログラムや、かな漢字変換用辞書データ等の固定データが格納されている。また、本実施形態において、ＲＯＭ２２には、お名前ラベルモードの実行プログラム２２ａや、対象物項目対応テーブル２２ｂが格納されている。
【００３７】
ここで、お名前ラベルモードとは、ラベルを貼り付ける対象物毎に、予め所定の印刷項目や所定の印刷フォーマットが設定されており、ユーザーにより貼付け対象物とお名前ラベルを作成したい個人情報が選択されると、予め登録されている個人情報の中から選択された個人情報の各構成要素のうち、入力された貼付け対象物毎に設定されている所定の印刷項目に対応する内容情報を読み出し、所定の印刷フォーマットで読み出された内容情報をテープに印刷する動作モードである。また、お名前ラベルモードは、多種類の対象物の一括選択設定や、各対象物に貼り付けるラベルの印刷枚数を一括設定することができ、この設定された条件のラベルを連続して作成する動作モードでもある。
【００３８】
ＲＡＭ２３は、１又は複数個のＲＡＭチップでなり、ワーキングメモリとして用いられるものであり、また、ユーザー入力に係る固定データ等も格納するものである。図１では、ＲＡＭ２３として記載しているが、ワーキングメモリとして用いられるＥＥＰＲＯＭ等の他のメモリ素子を含む概念とする。ＲＡＭ２３は、ユーザーにより選択された貼付対象物の情報やラベルに印刷する項目情報やラベル作成の印刷枚数情報を格納する印刷バッファや、入力文字列などについての表示画像を格納する表示バッファや、印刷や入力に係る文字データ等を格納するテキストバッファや、属性インジケータについての表示態様を保持する属性インジケータ状態保持バッファ等を有する。
【００３９】
また、ＲＡＭ２３は、お名前ラベルを作成するために必要な個人情報（これを基本情報とも呼ぶ）２３ａを格納するものである。ＲＡＭ２３は、ユーザーにより貼付対象物が選択されると、その貼付対象物に対応付けられた項目の個人情報を出力するものである。なお、個人情報２３ａは、１ユーザーだけでなく、複数ユーザーの情報を格納することができる。
【００４０】
入力インタフェース２５は、入力部１０及び制御部２０間のインタフェースを行なうものであり、出力インタフェース２６は、出力部３０及び制御部２０間のインタフェースを行なうものである。
【００４１】
ＣＰＵ２１は、入力部１０からの入力信号やそのときの処理段階に応じて定まるＲＯＭ２２内の処理プログラムを、ＲＡＭ２３をワーキングエリアとして利用しながら、また、必要ならばＲＯＭ２２やＲＡＭ２３に格納されている固定データを適宜用いて処理するものであり、その処理状況や処理結果等を液晶ディスプレイ３５に表示させたりテープに印刷させたりするものである。
【００４２】
図３は、ＲＡＭ２３に格納される個人情報２３ａの各構成要素の例を示すものである。図３において、個人情報２３ａを構成する項目には、「住所」２３１、「氏名」２３２、「ふりがな」２３３、「血液型」２３４、「学校名」２３５、「年・組」２３６がある。
【００４３】
例えば、図３において、個人情報２３ａの例として、「住所」２３１は「台東区浅草２−××−△△」、「氏名」２３２は「山田陽子」、「ふりがな」２３３は「やまだようこ」、「血液型」２３４は「Ｂ型」、「学校名」２３５は「○○小学校」、「年・組」２３６は「１年２組」を示す。
【００４４】
また、個人情報２３ａには、複数のユーザーの個人情報を登録することができる。図３においては、別のユーザーの個人情報として、「住所」２３１は「台東区浅草２−××−△△」、「氏名」２３２は「山田二郎」、「ふりがな」２３３は「やまだじろう」、「血液型」２３４は「Ｏ型」、「学校名」２３５は「△△ようちえん」、「年・組」２３６は「はなぐみ」を示す。
【００４５】
ここで、個人情報２３ａの登録方法は、例えば、入力部１０の個人情報登録キー１１ｃを押すと、新規登録、変更、削除などの選択を指定できるメニュー画面が液晶ディスプレイ３５に表示される。そして、ユーザーが入力部２０を操作して「新規登録」を指定すると、個人情報を新規に登録する入力画面が液晶ディスプレイ３５に表示され、ユーザーは前述の「住所」「氏名」等の各項目についてのユーザーの個人情報を入力することができる。このとき、入力部１０のスクロールボタンなどを操作して、液晶ディスプレイ３５に表示されている入力画面を動かしながら入力できるようにしてもよい。そして、ユーザーによる個人情報の入力が終了すると、入力画面に表示されている登録ボタンを指定することで、入力された個人情報が登録される。
【００４６】
また、一度入力した個人情報を変更しようとする場合には、例えば、ユーザーは、個人情報登録キー１１ｃを押して液晶ディスプレイ３５に表示されるメニュー画面から「変更」を指定する。そうすると、既に登録されている個人情報のタイトル（例えば、既に登録されている個人情報の中の「氏名」）の一覧が表示される。ユーザーは、その個人情報のタイトルから、変更の対象とするものを選択すると、その選択したユーザーの個人情報が表示される。そして、ユーザーが所望の構成要素について書き換え入力を行い、書き換え入力が終了すると、入力画面上に表示されている登録ボタンを指定することで、個人情報の更新ができる。
【００４７】
さらに、既に入力されている個人情報を削除しようとする場合には、例えば、ユーザーは、個人情報登録キー１１ｃを押して液晶ディスプレイ３５に表示されるメニュー画面から「削除」を指定し、既に登録されている個人情報のタイトルが表示される。ユーザーは、削除しようとするものを個人情報のタイトルから選択し、削除をボタンを指定することで、個人情報の削除ができる。
【００４８】
これら各項目に対する情報は、ユーザーがお名前ラベルを作成（印刷）する前に予め登録されることが望ましいが、必ずしも１つの個人情報に対する全ての項目についての構成要素が登録されていなくてもよい。
【００４９】
図４は、ＲＯＭ２２に格納されている対象物項目対応テーブル２２ｂの構成例を示すものである。図４に示すように、対象物項目対応テーブル２２ｂを構成する項目には、「対象物」２２１、「印刷項目」２２２、「印刷フォーマット」２２３、「テープ制限」２２４等があり、「対象物」２２１の内容のそれぞれは、「印刷項目」２２２、「印刷フォーマット」２２３、「テープ制限」２２４等の内容のそれぞれと対応付けられている。
【００５０】
「対象物」２２１は、作成したラベルを貼り付ける対象物を示し、この対象物として登録されている内容は、お名前ラベルモードプログラム２２ａの実行時に、液晶ディスプレイ３５上に表示され、お名前ラベルを作成するユーザーにより選択されるものを示す。また、「対象物」２２１に示す内容は、原則としてシステムに固定的に登録されるものとする。
【００５１】
「印刷項目」２２２は、テープに印刷する情報項目を示し、この印刷項目として挙げられる項目は、図３に示す個人情報の項目の全部又は一部の項目に対応するものである。なお、図４では、「学校名」、「年・組」、「氏名」、「ふりがな」を印刷項目として挙げた場合を例に示し、図４では、各項目のフィールドに「○」があるとき設定項目とする。
【００５２】
「印刷フォーマット」２２３は、テープ印刷の際にどのように印刷するかを規定する形式情報を示し、図４では、「縦・横」、「サイズ」、「タイプ」を例示する。
【００５３】
「縦・横」は、文字列を縦書きにするか、横書きにするかの別を規定するフォーマットである。「サイズ」は、文字サイズを規定するフォーマットであり、Ｐは文字サイズを６ｐｔとする場合を示し、Ｓは１０ｐｔとする場合を示し、Ｍは１３ｐｔとする場合を示し、Ｌは１９ｐｔとする場合を示し、Ｇは２４ｐｔとする場合を示す。また、「タイプ」は、段落スタイルと文字サイズの組合せを規定するフォーマットであり、例えば、タイプ「２ａ」は、図１１に示すように、ラベル上で文字列を「２行」とし、各行の文字サイズを大きめのサイズで均等にすることを示している。なお、このタイプの書式は既存のテープ印刷システムにおいて適用されているものである。
【００５４】
「テープ制限」２２４は、印刷するテープの幅を制限するか否かを規定する情報を示す。例えば対象物「体操着」の場合、アイロン等を用いて布等への貼り付けを可能とする布地貼付専用のテープカセットを使用することを推奨するとき、その推奨するテープカセットが装着されている場合にのみ印刷を行なえるようにする。なお、「テープ制限」２２４の項目は、対象物項目対応テーブル２２ｂの必須項目でなく、対象物項目対応テーブル２２ｂに「テープ制限」２２４の項目を設けなくてもよい。
【００５５】
ここで、対象物項目対応テーブル２２ｂは、例えば、「ランドセル」のように大きなものや、また「おはじき」のように小さいもののように、対象物の大きさが異なるものが混在して登録されている。また、対象物項目対応テーブル２２ｂは、例えば、「教科書」と「体操着」のように、対象物の素材が異なるものも混在して登録されている。
【００５６】
このように、対象物の大きさや素材の違いにより、作成するラベルの大きさ等も異なってくるが、本実施形態では、後述するラベル選択処理の際に、作成するラベルの大きさが違っても連続的に一度にラベルの選択処理をすることができる。
【００５７】
また、対象物項目対応テーブル２２ｂでは、同じ対象物であっても、ラベルの貼り付け態様に応じて、予め複数の印刷フォーマットを登録しておく。
【００５８】
例えば、図４においては、対象物「教科書」について、印刷項目は「年・組」、「氏名」で同じであり、また「サイズ」や「タイプ」も同じであるが、縦書き用ラベルに適した印刷フォーマットと、横書き用ラベルに適した印刷フォーマットとを登録されている。これにより、後述するラベル選択処理の際に、縦書き用ラベルと横書き用ラベルとを一度に選択することができるので、例えば、従来のように、縦書き用ラベルの印刷終了後に横書き用ラベルの印刷をするなど別々の印刷処理を必要とすることを解消できる。
【００５９】
（Ａ−２）第１の実施形態の動作
次に、本実施形態のテープ印刷システムによるお名前ラベルの作成動作を図面を参照しながら説明する。
【００６０】
図５は、本実施形態に係るテープ印刷システムによる、お名前ラベルの作成処理の全体動作を示すフローチャートである。
【００６１】
ユーザーによりテープ印刷システムの入力部１１が操作され、お名前ラベルモードの起動ボタンが選択されると、ＣＰＵ２１は、お名前ラベルモードの実行プログラム２２ａを起動させ、お名前ラベルモードの実行プログラム２２ａの実行を開始する（Ｓ１）。
【００６２】
お名前ラベルモード実行プログラム２２ａが起動すると、登録されている個人情報のうち、どのユーザーの個人情報でラベルを作成するか、ユーザーにより選択指定される（Ｓ２）。
【００６３】
ここでは、例えば、液晶ディスプレイ３５に登録されている個人情報のタイトル（例えば、登録されているユーザーの氏名）が表示され、ユーザーが入力部１０を操作して、どのユーザーの個人情報でラベルを選択する方法がある。
【００６４】
そうすると、まず、ＣＰＵ２１は、作成するお名前ラベルの種類をユーザーに選択させるラベル選択処理を行なう（Ｓ３）。
【００６５】
図６は、テープ印刷システムにおけるラベル選択処理の動作を示すフローチャートである。
【００６６】
まず、ＣＰＵ２１がお名前ラベルモードを起動すると、ＣＰＵ２１は、ＲＯＭ２２に格納されている対象物項目対応テーブル２２ｂの「対象物」に登録されている内容を液晶ディスプレイ３５に表示する（Ｓ２０１）。
【００６７】
このとき、「対象物」の内容の液晶ディスプレイ３５への表示形式は、特に限定されないが、例えば、対象物項目対応テーブル２２ｂに登録されている内容順序で複数の対象物を表示する。勿論、このような表示方式に限定されず、対象物項目対応テーブル２２ｂの登録順に表示するのではなく、他の表示形式で表示するようにしてもよい。
【００６８】
液晶ディスプレイ３５に対象物が表示されると、ユーザーの操作を受けて、ＣＰＵ２１は、ユーザーが希望する対象物の選択入力と（Ｓ２０２）、その対象物に貼り付けるラベルの印刷枚数の入力を取り込む（Ｓ２０３）。
【００６９】
例えば、図７は液晶ディスプレイ３５の表示画面の例を示す。例えば、図７では、対象物の選択表示部分３５１と、その右横に印刷枚数の入力表示部分３５２とからなり、ポインタ位置は反転表示される場合を示す。そして、ユーザーは、入力部１１の上下方向のスクロールキーを操作して画面をスクロールすることで希望する対象物（例えば、「教科書（縦）」）を見つけ出し、入力部１１の選択キーを操作して希望の対象物を決定する。そうすると、選択された対象物の対応する印刷枚数の入力表示部分３５２にポインタ位置がシフトし、ユーザーが入力部１１のテンキーを操作して希望の印刷枚数を入力するようにする。なお、図７で示した表示画面は一例であり、これに限定されず広く適用することができる。
【００７０】
ＣＰＵ２１は、ある対象物の選択入力と入力印刷枚数とを取り込むと、ユーザーにより終了キーが押下され、終了指示が与えられるまで、ユーザーによる対象物の選択処理を続行する。すなわち、終了指示が与えられるまで、ＣＰＵ２１は、Ｓ２０１〜Ｓ２０４の処理を繰り返し行なう（Ｓ２０５）。
【００７１】
このように、ユーザーによる複数種類の対象物の選択及び印刷枚数の入力を連続的に許容することで、多種類の対象物の一括選択及び印刷枚数の一括入力ができる。また、対象物の大きさや素材などが異なる場合であっても、同時に対象物の選択及び印刷枚数の入力ができる。
【００７２】
一方、ユーザーにより終了キーが押下され、終了指示がＣＰＵ２１に与えられると、ＣＰＵ２１は、それまでにユーザーにより選択された全対象物について、選択された対象物と入力印刷枚数とを対応付けた組み合わせをＲＡＭ２３に格納する（Ｓ２０４）。なお、ここで終了キーが押下された後、選択された対象物と入力印刷枚数との関係を一覧表示させ、ユーザーにこの内容でラベル選択処理を終了してよいか確認させた後、上記終了に関する処理が実行されても良い。
【００７３】
ここで、図６及び図７で説明したラベル選択処理方式では、まずユーザーにより希望する対象物が選択され、その後、その印刷枚数を入力する場合を説明したが、ユーザーによるラベル選択操作を他の方法としてもよい。
【００７４】
例えば、図７の表示画面例を用いて他のラベル選択操作を説明すると、図７の表示画面のうち、ユーザーにより入力可能な部分は対象物に対応する印刷枚数の入力表示部分３５２だけとし、ユーザーは、希望する対象物の印刷枚数のみを順番に入力する方法もある。そうすると、ユーザーは、直接的な対象物の選択をせずに、印刷枚数の入力をもって対象物の選択と印刷枚数の入力を同時にすることができる。なお、ユーザーが印刷を必要としない対象物については、例えばその対象物の印刷枚数を入力せず空欄としたり又は「０」を入力させるようにしてもよい。このような方法によれば、ユーザーは対象物の印刷枚数だけ入力すればよいので、ユーザーの操作性をより容易にすることができる。
【００７５】
また例えば、他のラベル選択操作の方法としては、ユーザーが印刷を希望しない対象物を選択するようにしてもよい。これによれば、例えば小学校の新入学時の１４０点あまりのアイテムに名前書きを必要とする場合には、選択しない対象物の方が少ないときもあり、このような場合には、希望しない対象物を選択するようにしてもよい。なお、この印刷を希望しない対象物を選択する方式は、図６に示した方式を基本方式とし、その変更方式としてユーザーの操作により変更可能な方式とするようにしてもよい。
【００７６】
以上のようにして、ラベルを貼り付ける対象物に基づいてラベルを選択し、その選択したラベルの印刷枚数を入力することができる。
【００７７】
ユーザーによりラベル選択の処理がなされると、テープ印刷システムが、対象物項目対応テーブル２２ｂと個人情報２３ａとを利用しながら、選択された対象物に適したラベルを作成する印刷処理を行なう（Ｓ４）。
【００７８】
図８は、テープ印刷システムによる印刷処理の動作を示すフローチャートである。
【００７９】
まず、ユーザーにより印刷キーが操作され、印刷指示がＣＰＵ２１に与えられると（Ｓ３０１）、ＣＰＵ２１は、ユーザーにより選択された対象物のそれぞれに対応する印刷項目を、対象物項目対応テーブル２２ｂから検索し、その検索した印刷項目に対応する情報を個人情報２３ａの各構成要素の中から読み出す（Ｓ３０２）。
【００８０】
また、ＣＰＵ２１は、対象物項目対応テーブル２２ｂを参照して、ユーザーにより選択された対象物に対応付けられている印刷フォーマットを読み出し（Ｓ３０３）、Ｓ３０２で読み出した個人情報２３ａの各構成要素を用いて、その印刷フォーマットで印刷情報を作成する。なお、図８において、ＣＰＵ２１による印刷項目に対応する各構成要素の読み出しと印刷フォーマットの読み出しは、同時に並列的に読み出すようにしてもよい。
【００８１】
この場合、例えば、対象物「教科書（縦書き）」についての印刷情報を作成するとき、ＣＰＵ２１は、対象物項目対応テーブル２２ｂ（図４参照）を参照して、「教科書（縦書き）」に対応付けられている「印刷項目」２２３の内容が「年・組」と「氏名」であることを検索する。そうすると、ＣＰＵ２１は、ＲＡＭ２３上の個人情報２３ａ（図３参照）を参照して、項目：「年・組」２３６と項目：「氏名」２３２とに登録されている構成要素：「１年２組」と構成要素：「山田陽子」とを読み出す。
【００８２】
また、ＣＰＵ２１は、対象物項目対応テーブル２２ｂ（図４参照）を参照して、対象物「教科書（縦書き）」に対応付けられている「印刷フォーマット」２２３の内容が「縦（書き）」、サイズ「Ｌ」、タイプ「２ａ」であることを検索する。そうすると、ＣＰＵ２１は、タイプ「２ａ」であるから、２行で「１年２組」と「山田陽子」とに分ける各行均等の書式となり、一方サイズ「Ｌ」であるから、各行の文字サイズを１９ｐｔ（Ｌ）サイズで均等に縦書きの書式スタイルとする印刷情報を作成する。
【００８３】
なお、ＣＰＵ２１は、ユーザーにより選択された対象物に関する印刷情報を、全ての対象物について作成するものとする。
【００８４】
ここで、ＣＰＵ２１は、ユーザーにより選択された対象物に対応付けられた印刷フォーマットでテープに印刷する印刷情報を作成する際、対象物に対応付けられた印刷項目の情報が個人情報２３ａに登録されているか否かを判断し（Ｓ３０４）印刷項目に対応する情報が個人情報２３ａに登録されており、ＣＰＵ２１は印刷情報の作成ができる場合にはＳ３１０に進む。
【００８５】
一方、個人情報２３ａに印刷項目に対応する構成要素が登録されていない場合、ＣＰＵ２１は、印刷情報として不足するものがある旨を示す不足情報メッセージを液晶ディスプレイ３５に表示する（Ｓ３０５）。
【００８６】
例えば、図３に示す個人情報２３ａのうち項目：「年・組」２３６についての構成要素が登録されていないものとする。この場合、上記例のように、ＣＰＵ２１が対象物「教科書（縦書き）」についての印刷情報を作成しようとする場合、「年・組」２３６の登録情報がないから不足情報が存在すると判断し、不足情報メッセージを液晶ディスプレイ３５に表示するようにする。
【００８７】
このとき、ＣＰＵ２１は、不足情報とする項目名（上記例の場合、「年・組」）が登録されていない旨を表示するようにする。
【００８８】
また、ＣＰＵ２１は、ユーザーにより選択された対象物についての印刷情報を全て作成した後に、不足情報メッセージを一括して表示するようにしてもよいし、また不足情報があることを発見するたびに不足情報メッセージを個別に表示するようにしてもよい。
【００８９】
また、ＣＰＵ２１は、不足情報がある旨のメッセージを表示すると共に、その不足する構成要素について個人情報２３ａに追加登録するか否かをユーザーに選択させることを液晶ディスプレイ３５に表示する（Ｓ３０６）。
【００９０】
そして、不足する構成要素について個人情報２３ａに追加登録するか否かの表示に対して、ユーザーが当該不足する構成要素の追加登録を希望する場合、ＣＰＵ２１は、ユーザー操作により入力された情報を取り込み、その取り込んだ情報をＲＡＭ２３に格納されている個人情報２３ａに追加登録する（Ｓ３０７）。そうすると、ＣＰＵ１２は、新たに登録（更新）された個人情報２３ａを用いてラベルの印刷情報を作成し、Ｓ３１０に進む。
【００９１】
一方、不足する構成要素について個人情報２３ａに追加登録するか否かの表示に対して、ユーザーが当該不足する構成要素の追加登録を希望しない場合、ＣＰＵ２１は、印刷する情報がないまま、印刷処理を続行して良いか否かの確認メッセージを液晶ディスプレイ３５に表示する（Ｓ３０８）。
【００９２】
そして、ＣＰＵ２１は、ユーザーにより印刷処理を続行してよいとの入力指示を受けると（Ｓ３０９）、ＣＰＵ２１はＳ３１０に進む。一方、ユーザーにより印刷処理を続行しないとの入力指示を受けると、ＣＰＵ２１は、Ｓ３０５に戻り、不足情報メッセージを表示して処理を繰り返し行なう。
【００９３】
このとき、ユーザーにより不足する構成要素の追加登録がされていない状態で、印刷処理を続行してよいとの指示を受けると、ＣＰＵ２１は、当該印刷項目について構成要素がないものとして、印刷情報を作成してラベルを作成する。従って、ラベルの中で当該印刷項目の情報が入る位置には何も印刷されていない状態でラベルが作成される。
【００９４】
ユーザーにより選択された対象物について印刷情報が全て作成されると、ＣＰＵ２１は、テープ種類検出センサ１２からの検出結果に基づいて装着されているテープカセットの種類を確認する（Ｓ３１０）。
【００９５】
そして、テープカセットの種類の確認後、ＣＰＵ２１は、ユーザーにより選択された対象物についての印刷情報のそれぞれを用いてテープに印刷し、当該対象物についてユーザーにより入力された印刷枚数のラベルを作成する（Ｓ３１１）。
【００９６】
このとき、ＣＰＵ２１は、ある選択された対象物について指定された印刷枚数のラベルを作成すると、続けて別の選択された対象物について指定された枚数のラベルを連続的に印刷するようにする。そして、ユーザーにより選択された全ての対象物について、それぞれ指定された印刷枚数分のラベルが作成完了するまで一度に連続して作成することができる。これにより、ユーザーによるラベル選択に関する処理を一連の処理とすることができるので簡単に操作することができ、また多種類のラベルについてそれぞれ必要な枚数のラベルを連続して印刷することができる。
【００９７】
なお、それぞれ指定された印刷枚数のお名前ラベル印刷を連続して行なう間に、例えば１枚のラベル印刷終了毎にはハーフカット処理を行い、選択された対象物に対する全ての枚数の印刷が終了した後にはフルカット処理を行なうようにしてもよい。これによってユーザーは、選択した対象物毎に、所望の枚数分のお名前ラベルがハーフカットにより剥離紙部分が繋がった状態での一連の長いラベルとして得ることができる。この場合ユーザーは、実際に対象物に貼り付ける際には、この一連の長いラベルから、対象物の数に応じて、１枚ずつお名前ラベルを剥離紙から剥がして、当該対象物に１つ１つ貼り付けていけばよい。
【００９８】
図９は、テープ印刷システムにより作成したラベルの印刷例を示す。図９（Ａ）は、対象物「おはじき」とした場合のラベル印刷例であり、図９（Ｂ）は、対象物「教科書（横書き）」とした場合のラベル印刷例であり、図９（Ｃ）は、対象物「カサ」とした場合のラベル印刷例である。
【００９９】
このように、ユーザーにより対象物が選択されるだけで、対象物項目対応テーブル２２ｂで規定された当該対象物の所定の印刷フォーマットで、当該対象物への貼り付けに適したラベルを作成することができる。
【０１００】
ここで、ラベルの連続印刷する際、ＣＰＵ２１は、各対象物についてのラベルの先頭部分（印刷装置の都合上必要となる余白であり、ラベルを貼り付ける際には不要となる部分）に対象物の名称や印刷枚数等を示す内容説明をテープに印刷するようにしてもよい。
【０１０１】
図１０は、ラベルの先頭部分に内容説明を印刷した場合の例を示す。図１０では、対象物「おはじき」とするラベルを３０枚印刷と設定した場合の印刷例であり、ラベルの先頭部分に、「おはじき」のように対象物の別と、その印刷枚数を示す「×３０」とを印刷した内容説明ラベルを、ラベルの先頭に作成した場合を示す。図１０では、内容説明ラベルと本来のラベル（お名前ラベル）との間のカッティングをハーフカットで行なうようにする。このように、ハーフカットとすることで、本来のラベル（お名前ラベル）と完全に切り離さないことができるので、この内容説明ラベルが当該お名前ラベルの内容を説明していることを示すことができる。
【０１０２】
（Ａ−３）第１の実施形態の効果
以上のように、本実施形態によれば、対象物項目対応テーブル２２ｂを備えることで、ユーザーは、個人情報２３ａの選択と、ラベルを貼り付ける対象物の選択及び印刷枚数の入力の簡単な操作処理だけで、貼り付ける対象物に適した文字サイズやレイアウト等の印刷フォーマットで形成された多種類のラベルを、必要な枚数分一度に印刷することができる。
【０１０３】
その結果、従来のように、複数の貼付け対象物用のラベルを個別に作成する毎に、印刷フォーマットを設定したり、入力情報を入力したりするなどの操作が不要となり、また入力ミスなどをなくすことができる。
【０１０４】
（Ｂ）他の実施形態
上述した第１の実施形態の説明においても、種々の変形実施形態について言及したが、さらに、以下に例示するような変形実施形態を挙げることができる。
【０１０５】
（Ｂ−１）対象物項目対応テーブルについて
第１の実施形態では、対象物項目対応テーブル２２ｂは、ＲＯＭに格納され、予め設定された固定的なテーブルとして説明した。しかし、必要に応じて、ユーザーの操作を受けて、テーブル内容を変更できるようにしてもよい。この場合、変更したテーブル内容をＲＡＭ２３（ＥＥＰＲＯＭも含む概念）に格納するようにする。
【０１０６】
例えば、図４に示す対象物項目対応テーブル２２ｂにおいて、印刷項目２２２や印刷フォーマット２２３の項目を追加したり、削除したりするようにしてもよい。また、印刷項目２２２や印刷フォーマット２２３の適用の可否についてもユーザーの操作を受けて設定を変更することができる。
【０１０７】
第１の実施形態では、主にホームユースにおけるお名前ラベルを作成する場合を実施例として記載したがこれに限定されることはなく、例えば、ＳＯＨＯ等のオフィスユースにおける名刺情報的なラベルを作成したい場合には、対象物項目対応テーブル２２ｂにおいて、印刷対象物２２１として「封筒」「名刺」等があり、印刷項目２２２に「会社名」「所属」「ＦＡＸ番号」「Ｅ−Ｍａｉｌアドレス」「ＵＲＬアドレス」や、これらをＱＲコード等でコード化した情報等が適宜あっても良い。
【０１０８】
（Ｂ−２）印刷処理について
連続印刷をする前に、ユーザーが選択した対象物のラベルについて、試し印刷を行なえるようにしてもよい。本実施形態では、多種類のラベルを指定枚数ずつ連続的に印刷するものであるから、印刷枚数が多いラベルについてミスが発覚した場合、ラベルのロスが生じ得る。そのため、試し印刷ができるようにすることで、ラベル作成にミスが生じていないかを確認することができ、ユーザーが意図する正しいラベルを作成することができる。
【０１０９】
試し印刷の方法としては、例えば、ＣＰＵ２１はユーザー操作により印刷指示を受け取ると、ユーザーが選択した全対象物についてのラベルを１枚ずつ連続して試し印刷する。その後、ラベルにミスがない場合、ＣＰＵ２１は、ユーザーによる更なる印刷指示を受け取り、残りの枚数、すなわち試し印刷で１枚ずつ印刷しているので、入力印刷枚数から１枚を差し引いた残りの枚数分のラベルを作成するようにする。
【０１１０】
このとき、試し印刷で印刷したラベル（試し印刷ラベル）について、第１の実施形態で説明した内容説明ラベルを、当該試し印刷ラベルの先頭部分に付与した形で作成するようにしてもよい。これにより、ラベルの出来栄えだけでなく、同時に設定内容も確認することができる。
【０１１１】
また、第１の実施形態では、一人のユーザーについて、多種類の対象物に貼り付けるラベルを、それぞれ必要な枚数ずつ作成する場合を説明したが、複数のユーザーについての１種類又は多種類の対象物に貼り付けるラベルを、それぞれ必要な枚数ずつ連続的に作成するようにしてもよい。
【０１１２】
この場合、あるユーザーについてのラベル種類選択処理（図６参照）を行なった後に、液晶ディスプレイ３５上に個人情報の指定できる画面が表示され、図５のＳ２に示す個人情報の指定処理に戻り、連続して、次のユーザーの個人情報を選択することで、次のユーザーについてのラベル種類選択処理を、上述した第１の実施形態と同様にして行なうことで実現することができる。これにより、一人のユーザーだけでなく、複数のユーザーについての１種類又は多種類のラベルも一括して作成することができる。
【０１１３】
なお、この場合も、複数のユーザーについての各ラベルについて、上述した試し印刷の処理と同様の処理を行うことができる。
【０１１４】
（Ｂ−３）テープ制限について
ユーザーにより選択された対象物についてのラベルを作成しようとする際、ＣＰＵ２１は、当該対象物についてテープ制限２２４において推奨するテープカセットが設定されているとき、現在装着されているテープカセットが推奨テープカセットであるかを判断し、推奨テープでないと判断すると、エラーメッセージを表示したり、及び又は、当該対象物についてのラベル印刷を行なわず、次の対象物についてのラベル印刷を行なうようにしてもよい。
【０１１５】
また、例えば、推奨するテープ幅のテープカセットが装着されていない場合、もしくは推奨するテープ幅以上のテープカセットが装着されている場合、ＣＰＵ２１は、そのまま印刷を行なうか否かをユーザーに選択させるメッセージを表示し、ユーザーが推奨するテープ幅のテープカセットに拘わらず現在装着されているテープ幅のカセットで印刷を行なうと指示を受けたとき、ＣＰＵ２１は装着されているテープ幅のカセットでラベル印刷するようにしてもよい。
【０１１６】
また、お名前ラベル作成に最適の推奨テープ幅を各対象物に対応付けて、テープ幅でソートできる対象物選択テーブルを用意しておき、ユーザーが対象物を選択する際、ユーザーは、対象物選択テーブルにおいて、テープ印刷装置に現在装着されているカセットのテープ幅でフィルタをかけることにより、当該装着テープ幅で最適なラベルを作成することができる対象物のみを表示させることができ、その中から、ユーザーが希望する対象物を選択するようにしてもよい。
【０１１７】
更には、ユーザーにより選択された全対象物に対して、テープ幅でソートをかけることにより、テープ幅毎に作成することが出来る対象物を並び替え、まず、現在装着されているテープ幅を推奨テープ幅とする対象物のラベルを印刷し、印刷終了後、まだ印刷が終了していない対象物において最適な推奨テープ幅のテープカセットへ交換を促すメッセージを表示し、当該テープ幅のテープカセット装着の完了指示を受けて、ラベルの印刷を再開する。このように各テープ幅毎に印刷中断・テープ交換・印刷再開の各処理を繰り返して、ユーザーに選択された対象物の推奨テープ幅が複数種類ある場合においても、一連の処理として連続的にラベル印刷を行なうようにしても良い。
【０１１８】
（Ｂ−４）項目構成登録情報の変形例
上述した第１の実施形態では、１又は複数のユーザーの個人情報を項目構成登録情報の例とした場合を説明した。
【０１１９】
本発明の小印刷物作成装置は、ユーザーにより選択された貼付対象物に貼り付ける小印刷物として、最適な項目からなる所定書式の小印刷物（例えばラベル等）を作成することができれば、個人情報に限らず、他の登録情報を用いるようにしてもよい。
【０１２０】
例えば、紙文書用ファイルの見出しを作成する場合、例えば、「発行部門」、「作成者」、「発行日」、「保管期限」、「保管場所」、「文書分類」、「秘密区分」等を項目とし、これら項目に対応する構成要素からなるファイル管理情報を項目構成登録情報として格納しておく。
【０１２１】
また、対象物項目テーブルについては、ユーザーが選択する貼付対象物を例えばファイル種類や見出し種類等とし、この貼付対象物と、上記項目から最適な項目と、所定の印刷書式と、を対応付けて予め用意しておく。
【０１２２】
そして、ユーザーが、どのファイル管理情報を用いるかの選択と、貼付対象物としてのファイル種類や見出し種類等の選択をすることで、貼り付けたいファイルの種類等に応じた所定の書式のラベルを作成することができる。
【０１２３】
また例えば、ＭＤやＣＤ等に貼り付けるための音楽のデータを印刷したラベルを作成する場合、例えば、「タイトル」、「歌手（演奏者）名」、「発売日」、「曲数」、「曲目」、「演奏時間」、「記録モード」等を項目とし、これら項目に対応する構成要素からなる音楽データ管理情報を項目構成登録情報として格納しておく。
【０１２４】
また、対象物項目テーブルについては、ユーザーが選択する貼付対象物を例えば記録媒体の種類（例えば、ＭＤ、ＣＤ）等とし、この貼付対象物と、上記項目から最適な項目と、所定の印刷書式と、を対応付けて予め用意しておく。
【０１２５】
そして、ユーザーが、どの音楽データ管理情報を用いるかの選択と、貼付対象物としての記録媒体の種類等の選択をすることで、貼り付けたい記録媒体の種類等に応じた所定の書式のラベルを作成することができる。
【０１２６】
（Ｂ−５）システム構成について
上述した第１の実施形態では、専用機としてのテープ印刷装置を示したが、パソコンとラベルプリンタとが結合されたテープ印刷システムに、本発明の技術思想を適用するようにしてもよく、また、専用機としてのスタンプ（印章）作成装置や、パソコンとスタンプ作成用周辺装置とが結合されたスタンプ作成システム等に、本発明の技術思想を適用するようにしてもよい。
【図面の簡単な説明】
【０１２７】
【図１】第１の実施形態のラベル印刷装置の内部構成を示す機能ブロック図である。
【図２】第１の実施形態のラベル印刷装置の全体構成を示す構成図である。
【図３】第１の実施形態の個人情報の構成を示す構成図である。
【図４】第１の実施形態の対象物項目対応テーブルの構成を示す構成図である。
【図５】第１の実施形態のラベル印刷システムによる全体処理を示すフローチャートである。
【図６】第１の実施形態のラベル選択処理を示すフローチャートである。
【図７】第１の実施形態の対象物の選択と印刷枚数の入力例を示す表示画面図である。
【図８】第１の実施形態の印刷処理を示すフォローチャートである。
【図９】第１の実施形態のラベルの印刷例を示す図である。
【図１０】第１の実施形態の内容説明ラベルを示す図である。
【図１１】第１の実施形態のタイプの書式を説明する説明図である。
【符号の説明】
【０１２８】
１…ラベル印刷システム、２…ラベル印刷装置、１０…入力部、２０…制御部、２１…ＣＰＵ、２２…ＲＯＭ、２２ａ…お名前ラベルモード実行プログラム、２２ｂ…対象物項目対応テーブル、２３…ＲＡＭ、２３ａ…個人情報。
【図１】
0004791860.tif 000002
【図２】
0004791860.tif 000003
【図３】
0004791860.tif 000004
【図４】
0004791860.tif 000005
【図５】
0004791860.tif 000006
【図６】
0004791860.tif 000007
【図７】
0004791860.tif 000008
【図８】
0004791860.tif 000009
【図９】
0004791860.tif 000010
【図１０】
0004791860.tif 000011
【図１１】
0004791860.tif 000012